(57)【要約】【課題】車両後方に配置しようとする表示機器等の種類や位置に対する制約を少なくし、後方からの視認性を向上させた塵芥収集車を提供すること。【解決手段】本発明の塵芥収集車は、収容箱１０の後部に装着する投入箱２０を有し、投入箱２０が、後部扉２１を有する後方面材２２、一対の側面材２３、天面材２４、及び底面材２５で囲まれる空間内に、塵芥を収容箱１０に導く積み込み手段２６を備え、天面材２４の外方にスポイラー型部材３０を配置し、後部扉２１が天面材２４とスポイラー型部材３０との間を移動することで、後部扉２１の開閉が行われることを特徴とする。【選択図】      図１
2015105168.tif 000002
【特許請求の範囲】
【請求項１】
収容箱の後部に投入箱を有し、
前記投入箱が、後部扉を有する後方面材、一対の側面材、天面材、及び底面材で囲まれる空間内に、塵芥を前記収容箱に導く積み込み手段を備え、
開状態とした前記後部扉が前記天面材より外方に位置する塵芥収集車であって、
前記天面材の外方にスポイラー型部材を配置し、
前記後部扉が前記天面材と前記スポイラー型部材との間を移動することで、前記後部扉の開閉が行われることを特徴とする塵芥収集車。
【請求項２】
前記後部扉には、前記後部扉の開閉時に用いる取手部を有し、
前記後部扉の全開時に、前記取手部が前記スポイラー型部材よりも下方に位置することを特徴とする請求項１に記載の塵芥収集車。
【請求項３】
前記スポイラー型部材が、前記天面材に対向する位置に配置するスポイラー型本体と、前記スポイラー型本体の両端に設けた接続部とからなり、
一対の前記接続部によって前記スポイラー型本体を前記側面材又は前記側面材を覆うサイドカバーに取り付け、
前記スポイラー型本体の上端から前記天面材への最短距離を、前記スポイラー型本体の下端から前記天面材への最短距離よりも大きくしたことを特徴とする請求項１又は請求項２に記載の塵芥収集車。
【請求項４】
前記スポイラー型本体が、後方側に位置する化粧板と、前記天面材側に位置する裏板とを有し、
前記スポイラー型本体には、テールランプ、ライセンスプレート、又は作業表示灯などの表示機器が取り付けられ、
前記化粧板と前記裏板との間に形成される空間に、前記表示機器の配線を配置したことを特徴とする請求項３に記載の塵芥収集車。
【請求項５】
前記スポイラー型本体が、前記化粧板の下端と前記裏板の下端とを接続する底板と、前記化粧板の上端と前記裏板の上端とを接続する天板とを有し、
前記裏板の前記上端から前記天面材への最短距離を、前記裏板の前記下端から前記天面材への最短距離よりも大きくしたことを特徴とする請求項４に記載の塵芥収集車。
【請求項６】
前記底板における前記化粧板からの前記天面材方向への水平方向距離を、前記天板における前記化粧板からの前記天面材方向への水平方向距離よりも小さくしたことを特徴とする請求項４又は請求項５に記載の塵芥収集車。
【請求項７】
前記スポイラー型本体に、後方を撮像する撮像部を設けたことを特徴とする請求項３から請求項６のいずれかに記載の塵芥収集車。
【請求項８】
前記スポイラー型部材を、前記後方面材よりも後方に突出させないことを特徴とする請求項１から請求項７のいずれかに記載の塵芥収集車。
【発明の詳細な説明】
【技術分野】
【０００１】
本発明は、収容箱の後部に投入箱を有する塵芥収集車に関する。
【背景技術】
【０００２】
塵芥収集車においては、塵芥投入作業時など車両後方で作業を行っている時に、後続車からの視認性を良くするために、テールランプ等の表示機器を車両後方上部に配置したものが知られている。例えば、特許文献１には、塵芥投入箱本体の後面上部カバーにテールランプを備えた塵芥収集車が開示されている。
【先行技術文献】
【特許文献】
【０００３】
【特許文献１】特開２００８−２８５３１７号公報
【発明の概要】
【発明が解決しようとする課題】
【０００４】
しかしながら、特許文献１に記載の塵芥収集車においては、テールランプが後面上部カバー自体に設けられているため、配置しようとする表示機器等の種類、位置、及び大きさに対する制約が大きい。
【０００５】
よって、本発明は、車両後方に配置しようとする表示機器等の種類や大きさに対する制約を少なくし、後方からの視認性を向上させた塵芥収集車を提供することを目的とする。
【課題を解決するための手段】
【０００６】
請求項１記載の本発明の塵芥収集車は、収容箱の後部に投入箱を有し、前記投入箱が、後部扉を有する後方面材、一対の側面材、天面材、及び底面材で囲まれる空間内に、塵芥を前記収容箱に導く積み込み手段を備え、開状態とした前記後部扉が前記天面材より外方に位置する塵芥収集車であって、前記天面材の外方にスポイラー型部材を配置し、前記後部扉が前記天面材と前記スポイラー型部材との間を移動することで、前記後部扉の開閉が行われることを特徴とする。
請求項２記載の本発明は、請求項１に記載の塵芥収集車において、前記後部扉には、前記後部扉の開閉時に用いる取手部を有し、前記後部扉の全開時に、前記取手部が前記スポイラー型部材よりも下方に位置することを特徴とする。
請求項３記載の本発明は、請求項１又は請求項２に記載の塵芥収集車において、前記スポイラー型部材が、前記天面材に対向する位置に配置するスポイラー型本体と、前記スポイラー型本体の両端に設けた接続部とからなり、一対の前記接続部によって前記スポイラー型本体を前記側面材又は前記側面材を覆うサイドカバーに取り付け、前記スポイラー型本体の上端から前記天面材への最短距離を、前記スポイラー型本体の下端から前記天面材への最短距離よりも大きくしたことを特徴とする。
請求項４記載の本発明は、請求項３に記載の塵芥収集車において、前記スポイラー型本体が、後方側に位置する化粧板と、前記天面材側に位置する裏板とを有し、前記スポイラー型本体には、テールランプ、ライセンスプレート、又は作業表示灯などの表示機器が取り付けられ、前記化粧板と前記裏板との間に形成される空間に、前記表示機器の配線を配置したことを特徴とする。
請求項５記載の本発明は、請求項４に記載の塵芥収集車において、前記スポイラー型本体が、前記化粧板の下端と前記裏板の下端とを接続する底板と、前記化粧板の上端と前記裏板の上端とを接続する天板とを有し、前記裏板の前記上端から前記天面材への最短距離を、前記裏板の前記下端から前記天面材への最短距離よりも大きくしたことを特徴とする。
請求項６記載の本発明は、請求項４又は請求項５に記載の塵芥収集車において、前記底板における前記化粧板からの前記天面材方向への水平方向距離を、前記天板における前記化粧板からの前記天面材方向への水平方向距離よりも小さくしたことを特徴とする。
請求項７記載の本発明は、請求項３から請求項６のいずれかに記載の塵芥収集車において、前記スポイラー型本体に、後方を撮像する撮像部を設けたことを特徴とする。
請求項８記載の本発明は、請求項１から請求項７のいずれかに記載の塵芥収集車において、前記スポイラー型部材を、前記後方面材よりも後方に突出させないことを特徴とする。
【発明の効果】
【０００７】
本発明の塵芥収集車によれば、車両後方に配置する表示器の種類や位置に対する制約を少なくし、後方からの視認性を向上させた塵芥収集車を提供することができる。
【図面の簡単な説明】
【０００８】
【図１】本発明の一実施例による塵芥収集車の後部扉を閉状態とした状態を示す斜視図
【図２】同塵芥収集車の後部扉を開とした状態を示す斜視図
【図３】同塵芥収集車の上面図
【図４】同塵芥収集車の投入箱を示す側面構成図であって、（ａ）後部扉の全閉状態を示す図、（ｂ）後部扉の半開状態を示す図、（ｃ）後部扉の全開状態を示す図
【図５】同塵芥収集車のスポイラー型部材を示す側面構成図
【発明を実施するための形態】
【０００９】
本発明の第１の実施の形態による塵芥収集車は、天面材の外方にスポイラー型部材を配置し、後部扉が天面材とスポイラー型部材との間を移動することで、後部扉の開閉が行われるものである。本実施の形態によれば、後部扉の開閉動作を、収容箱に投入される塵芥の影響を受けることなく行える塵芥収集車において、例えば表示機器等を取り付けることができるスポイラー型部材を、投入箱の上部に配置することができる。スポイラー型部材を投入箱の上部に配置することで、例えば車両走行時の後方からの視認性を高める機能を備えることができる。
【００１０】
本発明の第２の実施の形態は、第１の実施の形態による塵芥収集車において、後部扉には、後部扉の開閉時に用いる取手部を有し、後部扉の全開時に、取手部がスポイラー型部材よりも下方に位置するものである。本実施の形態によれば、作業者の手がスポイラー型部材と天面材との間に挟まれることがなく、一方でスポイラー型部材を天面材に近接できるため、スポイラー型部材の突出を小さくできる。更に、汎用的な塵芥収集車にあっては、後部扉の開閉時に用いる取手部は、後部扉の全開時には作業者の頭部近傍に位置することから、本実施の形態によれば、スポイラー型部材を作業者の頭部近傍又は頭部よりも上方に位置させることになり、例えば表示機器をスポイラー型部材に取り付ける場合には、後方からの視認性が高く、安全性に優れた機能を備えることができる。
【００１１】
本発明の第３の実施の形態は、第１又は第２の実施の形態による塵芥収集車において、スポイラー型部材が、天面材に対向する位置に配置するスポイラー型本体と、スポイラー型本体の両端に設けた接続部とからなり、一対の接続部によってスポイラー型本体を側面材又は前記側面材を覆うサイドカバーに取り付け、スポイラー型本体の上端から天面材への最短距離を、スポイラー型本体の下端から天面材への最短距離よりも大きくしたものである。本実施の形態によれば、後部扉が移動する天面材とスポイラー型本体との隙間を、スポイラー型本体の上端側で大きくすることで、後部扉の開閉動作に自由度を持たせることができる。
【００１２】
本発明の第４の実施の形態は、第３の実施の形態による塵芥収集車において、スポイラー型本体が、後方側に位置する化粧板と、天面材側に位置する裏板とを有し、スポイラー型本体には、テールランプ、ライセンスプレート、又は作業表示灯などの表示機器が取り付けられ、化粧板と裏板との間に形成される空間に、表示機器の配線を配置したものである。本実施の形態によれば、配線が後部扉の開閉動作に干渉することがなく、また、化粧板と裏板との間に形成される空間に、その他の機器の配線や部材を、後部扉の開閉動作に干渉することなく収容できる。
【００１３】
本発明の第５の実施の形態は、第４の実施の形態による塵芥収集車であって、スポイラー型本体が、化粧板の下端と裏板の下端とを接続する底板と、化粧板の上端と裏板の上端とを接続する天板とを有し、裏板の上端から天面材への最短距離を、裏板の下端から天面材への最短距離よりも大きくしたものである。本実施の形態によれば、後部扉が移動する天面材と裏板との隙間を、裏板の上端側で大きくすることで、後部扉の開閉動作に自由度を持たせることができる。
【００１４】
本発明の第６の実施の形態は、第４又は第５の実施の形態による塵芥収集車であって、底板における化粧板からの天面材方向への水平方向距離を、天板における化粧板からの天面材方向への水平方向距離よりも小さくしたものである。本実施の形態によれば、底板の水平方向距離を天板の水平方向距離よりも小さくすることで、底板と天面材との距離を大きくでき、底板と天面材との間での積雪を防止できる。
【００１５】
本発明の第７の実施の形態は、第３から第６の実施の形態による塵芥収集車であって、スポイラー型本体に、後方を撮像する撮像部を設けたものである。本実施の形態によれば、投入箱の上部にスポイラー型部材を配置できるため、撮像部の撮像対象領域及び角度として適している。
【００１６】
本発明の第８の実施の形態は、第１から第７の実施の形態による塵芥収集車であって、スポイラー型部材を、後方面材よりも後方に突出させないものである。本実施の形態によれば、スポイラー型部材を配置しても車両の全長は長くならないため、車両の取回しなどの操作性に影響を与えることがない。
【実施例】
【００１７】
以下本発明の一実施例による塵芥収集車について説明する。
図１は本実施例による塵芥収集車の後部扉を閉状態とした状態を示す斜視図、図２は同塵芥収集車の後部扉を開とした状態を示す斜視図、図３は同塵芥収集車の上面図である。
【００１８】
本実施例による塵芥収集車１は、塵芥を収容する収容箱１０と、収容箱１０の後部に装着する投入箱２０とを有している。
投入箱２０は、後部扉２１を有する後方面材２２、一対の側面材２３、天面材２４、及び底面材２５で囲まれる空間内に、塵芥を収容箱１０に導く積み込み手段２６を備えている。後部扉２１及び後方面材２２は、下端が最も後方となり、上端が最も前方となるように湾曲している。なお、本実施例において、前方とは塵芥収集車１のキャビン側を指している。
【００１９】
一対の側面材２３は、それぞれの側面材２３の外方をサイドカバー２７で覆われている。
本実施例による塵芥収集車１は、天面材２４の外方にスポイラー型部材３０を配置している。
後部扉２１には、後部扉２１の開閉時に用いる取手部２１ａを有している。図２に示すように、後部扉２１が全開時であっても、取手部２１ａはスポイラー型部材３０よりも下方に位置する。
スポイラー型部材３０は、天面材２４に対向する位置に配置するスポイラー型本体３１と、スポイラー型本体３１の両端に設けた接続部３２とからなる。
接続部３２の後方、すなわち接続部３２のスポイラー型本体３１近傍には、内方に傾斜させた傾斜面３２ａとしている。このように接続部３２の後方に、内方に傾斜させた傾斜面３２ａを設けることで、車両走行時の接触を防止することができる。
スポイラー型本体３１は、一対の接続部３２によって側面材２３に取り付けている。なお、一対の接続部３２は、側面材２３を覆うサイドカバー２７に取り付け、又はサイドカバー２７と一体に成形されてもよい。
スポイラー型部材３０には、テールランプ３３ａ、作業表示灯３３ｂ、又はライセンスプレート３３ｃなどの表示機器３３、及び後方を撮像する撮像部３４を設けている。表示機器３３や撮像部３４は、スポイラー型本体３１に設けることが好ましい。
図３に示すように、スポイラー型部材３０は、後方面材２２又は後部扉２１よりも後方に突出しない。
【００２０】
図４は同塵芥収集車の投入箱を示す側面構成図である。
図４（ａ）は後部扉の全閉状態を、図４（ｂ）は後部扉の半開状態を、図４（ｃ）は後部扉の全開状態を示している。
本実施例による塵芥収集車１は、回転式塵芥収集車を示しており、積み込み手段２６は、前面材２８と後方面材２２との間で揺動軸２６ａを中心にして揺動する押し込み板２６ｂと、押し込み板２６ｂより下方において回転軸２６ｃを中心にして回転する回転板２６ｄとで構成されている。揺動軸２６ａ及び回転軸２６ｃは、一対の側面材２３によって両端を軸支されている。
【００２１】
後部扉２１は、上端部両端を一対のアーム４０によって支持され、下端部両端を後方面材２２の開口両側に配置した一対のレール５０によって支持されている。
アーム４０は、一端に回動軸４１を、他端に係合部４２を備えている。回動軸４１は、側面材２３に軸支されている。係合部４２は、後部扉２１に回動自在に設けている。回動軸４１は、揺動軸２６ａよりも高い位置で、揺動軸２６ａよりも前面材２８に近い位置に配置している。アーム４０は、接続部32の側面材23への取付け部３５を迂回するように湾曲させている。
図４に示すように、本実施例による塵芥収集車１は、開状態とした後部扉２１が天面材２４より外方に位置する。
そして、天面材２４とスポイラー型部材３０との間を後部扉２１が移動することで、後部扉２１の開閉が行われる。
【００２２】
図５は同塵芥収集車のスポイラー型部材を示す側面構成図である。
スポイラー型本体３１は、後方側に位置する化粧板３１ａと、天面材２４側に位置する裏板３１ｂと、化粧板３１ａの下端と裏板３１ｂの下端とを接続する底板３１ｃと、化粧板３１ａの上端と裏板３１ｂの上端とを接続する天板３１ｄとを有している。
なお、化粧板３１ａ、裏板３１ｂ、底板３１ｃ、及び天板３１ｄは、必ずしも別部材で構成されている必要はなく、例えば、化粧板３１ａと底板３１ｃとが同じパーツで構成され、裏板３１ｂと天板３１ｄとが同じパーツで構成される場合がある。また、化粧板３１ａと天板３１ｄとが同じパーツで構成され、裏板３１ｂと底板３１ｃとが同じパーツで構成される場合がある。更には、裏板３１ｂを除く、化粧板３１ａと底板３１ｃと天板３１ｄとが同じパーツで構成される場合や、化粧板３１ａを除く、裏板３１ｂと底板３１ｃと天板３１ｄとが同じパーツで構成される場合もある。
テールランプ３３ａ、作業表示灯３３ｂ、又はライセンスプレート３３ｃなどの表示機器３３や撮像部３４は、化粧板３１ａ又は中板３１ｆに設けている。中板３１ｆは、化粧板３１ａと裏板３１ｂとの間に形成される空間３１ｅに配置している。
化粧板３１ａと裏板３１ｂとの間に形成される空間３１ｅには、表示機器３３の配線３３ｄを配置している。空間３１ｅに表示機器３３の配線３３ｄを配置することで、配線３３ｄが後部扉２１の開閉動作に干渉することがない。また、空間３１ｅには、その他の機器の配線や部材を配置しても良い。このように、化粧板３１ａと裏板３１ｂとの間に形成される空間３１ｅに、機器の配線３３ｄや部材などを、後部扉２１の開閉動作に干渉することなく収容できる。なお、配線３３ｄや他の機器の配線は、接続部３２に沿って設けた配線カバー及び側面材２３とサイドカバー２７との間を通して電源に接続する。
【００２３】
スポイラー型本体３１の上端から天面材２４への最短距離、すなわち裏板３１ｂの上端から天面材２４への最短距離Ｌ１は、スポイラー型本体３１の下端から天面材２４への最短距離、すなわち裏板３１ｂの下端から天面材２４への最短距離Ｌ２よりも大きくしている。このように、後部扉２１が移動する天面材２４とスポイラー型本体３１との隙間を、スポイラー型本体３１の上端側で大きくすることで、後部扉２１の開閉動作に自由度を持たせることができる。
また、底板３１ｃにおける化粧板３１ａからの天面材２４方向への水平方向距離Ｌ３は、天板３１ｄにおける化粧板３１ａからの天面材２４方向への水平方向距離Ｌ４よりも小さくしている。このように、底板３１ｃの水平方向距離Ｌ３を天板３１ｄの水平方向距離Ｌ４よりも小さくすることで、底板３１ｃと天面材２４との距離Ｌ２を大きくでき、底板３１ｃと天面材２４との間での積雪を防止できる。
【００２４】
なお、塵芥収集車１は、プレス式塵芥収集車であってもよく、プレス式塵芥収集車では、積み込み手段２６は、上下方向に移動するアーム部材と、アーム部材の下端に回転軸２６ｃを有して所定角度回動する押し込み板２６ｂとで構成されている。
【００２５】
以上のように、本実施例によれば、後部扉２１の開閉動作を、収容箱１０に投入される塵芥の影響を受けることなく行える塵芥収集車１において、表示機器３３等を取り付けることができるスポイラー型部材３０を、投入箱２０の上部に配置することができ、例えば車両走行時の後方からの視認性を高める機能を備えることができる。
また、本実施例によれば、取手部２１ａが後部扉２１の全開時にもスポイラー型部材３０よりも上方に位置することがないので、作業者の手がスポイラー型部材３０と天面材２４との間に挟まれることがなく、一方でスポイラー型部材３０を天面材２４に近接できるため、スポイラー型部材３０の突出を小さくできる。更に、汎用的な塵芥収集車１にあっては、後部扉２１の開閉時に用いる取手部２１ａは、後部扉２１の全開時には作業者の頭部近傍に位置することから、スポイラー型部材３０は作業者の頭部近傍又は頭部よりも上方に位置することになり、例えば表示機器３３をスポイラー型部材３０に取り付ける場合には、後方からの視認性が高く、安全性に優れた機能を備えることができる。
また、本実施例によれば、投入箱２０の上部にスポイラー型部材３０を配置できるため、撮像部３４の撮像対象領域及び角度として適している。
また、本実施例によれば、スポイラー型部材３０を、後方面材２２よりも後方に突出させないことで、スポイラー型部材を配置しても車両の全長は長くならないため、車両の取回しなどの操作性に影響を与えることがない。
【産業上の利用可能性】
【００２６】
本発明は、回転式塵芥収集車、プレス式塵芥収集車のいずれであっても、スポイラー型部材を投入箱の上部に配置することができ、例えば車両走行時の後方からの視認性を高める機能を備えることができる。
【符号の説明】
【００２７】
１  塵芥収集車
１０  収容箱
２０  投入箱
２１  後部扉
２１ａ  取手部
２２  後方面材
２３  側面材
２４  天面材
２５  底面材
２６  積み込み手段
２７  サイドカバー
２８  前面材
３０  スポイラー型部材
３１  スポイラー型本体
３１ａ  化粧板
３１ｂ  裏板
３１ｃ  底板
３１ｄ  天板
３１ｅ  空間
３１ｆ  中板
３２  接続部
３２ａ  傾斜面
３３  表示機器
３３ａ  テールランプ
３３ｂ  作業表示灯
３３ｃ  ライセンスプレート
３３ｄ  配線
３４  撮像部
３５  取付け部
Ｌ１  最短距離（裏板上端−天面材）
Ｌ２  最短距離（裏板下端−天面材）
Ｌ３  底板の水平方向距離
Ｌ４  天板の水平方向距離
【図１】
2015105168.tif 000003
【図２】
2015105168.tif 000004
【図３】
2015105168.tif 000005
【図４】
2015105168.tif 000006
【図５】
2015105168.tif 000007